(57)【特許請求の範囲】
【請求項１】
瓦屋根と金属葺屋根を上下に葺き分けて構成され、金属葺屋根の水上側の端部に瓦などを施工してなる構造の腰葺屋根等において、その境界部分の金属屋根面上に、水平方向に帯状の敷板を敷設し、この敷板の上面に敷板よりイオン化傾向の大きな犠蝕部材を敷設して形成してなる屋根用の瓦敷板。
【請求項２】
敷板の水下側端縁を上方に折曲して雨水の一時滞溜部を形成してなる請求項１記載の屋根用の瓦敷板。
【請求項３】
上方に折曲した水下側の端縁をさらに曲成して上面板を形成し、該上面板によって袋状の雨水滞溜部分を形成してなる請求項１ないし請求項２記載の屋根用の瓦敷板。
【請求項４】
水平方向に配設された敷板が銅板で形成され、その内面側に亜鉛板もしくは亜鉛合金部材を配置してなる請求項１ないし請求項３記載の屋根用の瓦敷板。
【請求項５】
水平方向に配設された敷板が銅板で形成され、その内面側にアルミニウム板もしくはアルミニウム合金部材を配置してなる請求項１ないし請求項３記載の屋根用の瓦敷板。
【請求項６】
水平方向に配設された敷板が銅板で形成され、その内面側にマグネシウム板もしくはマグネシウム合金部材を配置してなる請求項１ないし請求項３記載の屋根用の瓦敷板。
【発明の詳細な説明】
【０００１】
【産業上の利用分野】
本発明は主として棟側の瓦屋根と軒先側の金属屋根板とで二段に葺き分けて施工する腰葺屋根に使用し、瓦の水下側端部と金属屋根部との境界部分に敷設して施工する瓦敷板に関するものである。
【０００２】
【従来の技術】
本発明の対象である瓦敷板は、従来にない特徴を有する製品であり、本願出願人が近年の酸性雨対策として独自に開発したものである。
すなわち、この瓦敷板は環境問題の一つとして知られている酸性雨が、金属屋根に与える影響を防止すべく発明したものであって、従来はほとんど問題とされていなかったが、近年になって問題視されるようになった事例に対処するものである。
【０００３】
日本の伝統建築である数寄屋建築などの屋根には銅板が多く使われ、その銅板が経年変化により表面に緑青を発生させ、自然に淡い緑色になったものが好まれていた。
このような緑青を発生させるためには、銅板の生地板を長期間（１０年以上）使用することが条件となるが、これが近年の酸性雨（ｐＨ４前後）などの環境汚染によって緑青が発生する前に銅板の腐蝕問題が生じることがある。
【０００４】
日本家屋に銅板屋根を施工する場合、神社のように屋根全面を施工することもあるが、住宅建築の代表的なものとして屋根の軒先側や周囲を銅板などで施工し、棟に近い水上部分を瓦で葺く、通称「腰葺き屋根」と呼ばれるものが多く施工されてきた。
【０００５】
腰葺き屋根と呼ばれる屋根葺き工法は、始めに軒先側から棟方向に登って銅板屋根を１／３程度まで葺いてゆき、それより上の棟までの部分を通常の瓦屋根で葺いたものであり、軒先側は銅板の一文字葺などで施工されることが大半である。
この瓦と銅屋根部分の境界部分は、瓦（通称一文字瓦と呼ばれる）の水下側の端部を銅板屋根板の水上側の上面に裁置して施工するものであり、この裁置部分には瓦屋根からの雨水が軒先瓦の前端縁を伝って流下し、金属屋根面を流れて金属屋根の軒先の雨といなどにて排水するものである。
【０００６】
このように屋根の周囲の軒先を銅板で葺き、棟から２／３程度までを瓦で施工し、その水下側の瓦の先端を金属屋根上に裁置して施工される腰葺屋根と呼ばれているものが、近年の酸性雨により特に瓦と金属屋根の境界部分に深刻な影響を受けることがある。
【０００７】
すなわち瓦を施工した部分と銅板等の金属屋根を施工した部分の境目付近に流下した酸性の雨水は、長期間の間に上述したように銅板と化学反応を起こして腐蝕問題を起こすものである。
【０００８】
この酸性雨による銅板の腐食が進行すると、主として瓦と銅板の境界付近の銅板に孔をあけたり、また銅板表面の雨水の流れた部分だけを不自然に変色させたり、また縞状の汚れを発生させたりするなど、施工後の外観も損なうものである。
【０００９】
【発明が解決しようとする課題】
すなわち近年では地球的規模で大気汚染などが進み、その大気中を通過する雨や雪などが酸性を示すようになってきている。
それにより屋根として使用される金属薄板は、生地のままで使用すると徐々にその影響を受けるようになってきており、長期間においては特に上記した瓦屋根と銅板との境界部分付近に孔があいたり、変色を生じたりすることがある。
これは金属屋根の中でも塗装をしない金属生地板の場合が著しく、その中でも銅板などがその代表的な例として挙げられる。
【００１０】
このように酸性雨の問題は瓦と銅板部分の境界付近で起こりやすく、この境界付近は屋根面上から流下する酸性雨の化学反応とその流速による衝撃などのため、腐蝕が顕著に進行するものであった。
すなわちこの酸性雨の降り止んだ後において、金属屋根の瓦の裁置部分に雨水が滞留し、その雨水が蒸発した後に濃度の高い種々の酸性物質が残留し、これらが銅板等の金属生地板との化学反応による腐蝕を生じ、又流下する酸性雨による物理的衝撃などが金属表面に生成した酸化被膜を剥離して金属屋根材の減耗や銅板の不自然な変色を促進するものである。
【００１１】
【課題を解決するための手段】
上記したような課題を解決するため、本願に係る発明は腰葺屋根の瓦の水下側の、銅板との境目の部分に犠牲腐蝕作用を利用した敷板を敷設し、これを犠蝕部材として利用するもので、その材質としては銅板などを本体部分とし、それに重ねる犠蝕部材として亜鉛板、アルミニウム板、あるいはそれらの合金板などを使用したものである。
このイオン化傾向が異なり、且つイオン化傾向の大きい２種の金属を電気的に導通状態にして重合させ、よりイオン化傾向の大きい金属を犠蝕部材として上部に配置するものである。
【００１２】
したがって屋根材本体の金属板と同等以上の大きいイオン化傾向を持っている異種金属であることが犠牲腐蝕部材となるための条件となる。
このような金属板を、瓦と金属屋根の境界部分に配置し、上部から流下してくる酸性雨を中和方向に変化させてから金属屋根に流下させ、本体部分の腐食を防いだり、あるいは腐蝕速度を十分に遅らせるものである。
すなわちこの酸性雨を電解液として二重に重ねた異種金属の接触腐食により、雨水を中和させる方向にもってゆくものである。
【００１３】
また敷板の水下側の端縁を上方に折曲して立設部を設けることにより、雨水を一時的に滞溜させる部分を設け、その部分に雨水が滞留している時間に酸性雨中の硫酸イオンや硝酸イオンなどの陰イオンと、敷板の犠蝕部材の金属陽イオンとが中和反応を促進し、上記した犠牲腐蝕効果がより高くなるものである。
【００１４】
【作用】
このように瓦敷板を敷設することにより、瓦の水下側から一文字葺屋根の金属板に流下する酸性雨を、その中間に配置した瓦敷板の犠蝕部材を腐蝕させることにより犠牲腐蝕の作用を意図的に図るものである。
この敷板の犠牲腐蝕により酸性雨を中和する方向に進め、その作用として酸性雨が本体の銅板屋根を腐蝕させたりすることを防ぐものである。
【００１５】
またこの瓦敷板の水下側の端縁を上方に折曲して折り返しを設けることにより、敷板上での雨水の滞溜時間を長くすることができ、酸性雨と犠蝕部材を反応させて腐食させることができ、金属屋根板を腐蝕から保護する防蝕効果を高めることが期待できるものである。
この瓦敷板の上部の犠蝕部材の材質は銅板屋根にたいして、よりイオン化傾向の大きい亜鉛板やアルミニウム板を用いれば犠牲腐蝕の効果もより高まるものである。
【００１６】
【実施例】
以下、本発明を添付図面に示した一実施例により詳説する。
図１は本発明に係る瓦敷板Ｅを施工したときの斜視図を示し、図２は同じく瓦敷板Ｅの斜視図である。
瓦敷板Ｅは本体１と犠蝕部材２より構成され、本体１は銅板にて成形され、図示例では材厚０．４ｍｍ程度の銅板を折曲形成して使用した。
【００１７】
銅板の本体１部分は瓦Ａの先端下部に差し込むため、幅は４０ｍｍないし５０ｍｍ程度に成形され、水上部分は上部に折曲して立ち上げた上部立設片１１が設けられている。
この上部立設片１１は雨水が上方に吹き込まないように、雨仕舞のために設けるもので、その高さは例えば５ｍｍないし１０ｍｍ程度の適宜な設計にすればよく、上記したその幅も更に広くしても構わないものである。
【００１８】
また本体１の水下側の端縁は、上部に曲成するように立ち上げた折り返し１２が設けられ、それに連続して上面板１３が後方に延設され、さらにその先端を下方に折曲して垂設片１４が設けられている。（図２）
【００１９】
この水下側の端縁を上方に曲成するように立ち上げた折り返し１２、及びそれに連続する上面板１３によって雨水を滞留させる空間を形成し、使用に際しては瓦Ａから流下する雨水Ｇを一定時間、瓦敷板Ｅの上に滞溜させ、その後に上部から溢れさせるようにして排水するものとなる。（図４）
従って折り返し１２のみでもその目的は達成されるものであるが、さらに上面板１３を延設して袋状の雨水滞溜部分を形成すれば、雨水の滞溜時間をより長く設定できるものとなる。
【００２０】
また下方に折り返した垂設片１４は本体１にまで達しない程度の長さを有し、図示例では３ｍｍ程度であり、上記した上面板１３に強度をもたせて変形などを防ぐものである。
この上面板１３が変形したりすると、雨水が溢れて上面板１３を乗り越える際に、変形した一箇所から流出したりすることを防ぐものである。
【００２１】
この本体１の上面には本体１よりイオン化傾向の大きい金属で成形された犠蝕部材２が裁置され、この２種の金属は電気的に接続されているものである。
そのためにはそれぞれの部品が生地の金属板の部分で重ねればよいが、別途に接続させる為の構成を設けても同様である。
この接続状態によって、犠蝕部材２から電子が本体１の方向に流入して、保護板２の犠牲腐食が進行するものである。
【００２１】
犠蝕部材２は平坦部１を本体１の上に裁置して施工され、水上側の端縁は上方に折曲されて２２が設けられ、水下側の端縁に上方曲成した折返し２３が設けられている。
その幅は本体１の内部に納まればよく特に限定されるものではなく、また長さは本体部分と同様に１ｍないし２ｍ程度が施工上も扱いやすくて便利である。
この犠蝕部材２が流下する酸性雨により腐食されることによって、一文字葺屋根材Ｂの腐食が防げるものとなる。
図３は瓦敷板Ｅを実際に、一文字葺屋根Ｂと瓦Ａとの境界部分に施工したときの側面断面図を示すが、瓦敷板Ｅは一文字葺屋根Ｂの水上側に裁置され、平坦な本体１に瓦Ａの水下側の端部を乗せて施工される。
この時一文字葺屋根材Ｂは野地板Ｄに裁置され、水上側の係合片を吊子Ｃによって係合され、釘Ｆによって屋根面に施工されている。
【００２２】
瓦敷板Ｅの水上側に立設した係合片１１は、瓦Ａの先端の水上側に位置して雨水が奥まで吹き込んだりすることを防止すると共に、瓦敷板Ｅがずれて外れたりしないためのものである。
この瓦敷板Ｅの固定方法は特に限定されるものではなく、そのまま瓦Ａを裁置するだけでも固定可能であり、また接着剤などを用いても可能であり、施工する現場の状況に応じて適宜に選択すればよい。
【００２３】
このように施工される瓦敷板Ｅの水平方向の長さは、瓦屋根の長さに準じて決めれば良いが、実際に施工する時の作業性などを考慮すると、１ｍないし２ｍ程度のものを接続して瓦と金属屋根の境界部分に連続して施工するのが適当と考えられる。
【００２４】
またこの瓦敷板Ｅは、亜鉛板あるいは亜鉛合金板、アルミニウムアルミ合金板などの、屋根材本体の金属板よりイオン化傾向の大きな他の金属板で製作すればその効果は十分期待でき、上記した酸性雨に対する犠牲腐蝕の効果は十分なものとなる。
【００２５】
図１は本発明の実施例である瓦敷板Ｅを施工したときの斜視図であるが、銅板による一文字葺屋根材Ｂの水上側には瓦Ａが敷設され、取付けた後もあまり目だたずに施工でき、屋根全体の意匠感のバランスを崩すこともなく外観も良好なものとなる。
またこの瓦敷板Ｅは酸性雨に対する犠牲腐蝕を利用しているものであり、その耐用年数も限られた（例えば１０年程度）ものであるが、擬蝕部材が少なくなった際には取り外して容易に新しいものと交換できるものであり、そのための作業も容易におこなえるものとなる。
【００２６】
【発明の効果】
上記したように本発明に係る瓦敷板は日本建築の腰葺屋根などにおいて、瓦の水下先端部分と銅板屋根の水上も境目付近に敷設することにより、酸性雨などが降ったときに、屋根板に代わって擬蝕部材の犠牲腐蝕効果により銅板部分が腐食されないものとなる。
つまりこの瓦敷板に雨水を滞溜させることによりその滞溜時間の間に犠蝕部材が反応して酸性雨を中和する方向に進行し、酸性雨の腐蝕作用の影響が屋根材本体にまで及ばないようにするものである。
【００２７】
このように雨水を滞留させて犠牲腐食による効果を利用し、銅板などの金属屋根の腐食を防ぐものであり、長期間の使用に際しても屋根板に孔が開いたり、また不自然な見苦しい変色などの恐れもないものとなる。
また本発明の瓦敷板の施工も瓦先端の下面に挟み込むようにするだけで容易に施工でき、従来工法の腰葺屋根にも後で取り付ることも可能で、その使用範囲も新築建物に限定されず既存の建物にも取り付けが可能である。
またある程度、犠蝕部材の腐蝕が進んだときには瓦敷板を直ちに新しいものと交換でき、その作業も容易に行えるものである。
【００２８】
本実施例の瓦敷板は銅板を成形したもので詳説したが、銅板に限らず亜鉛板あるいは亜鉛合金板、またアルミニウム板あるいはアルミ合金板でも十分にその目的は達成されるものである。
これは屋根材に使用される金属板よりもイオン化傾向の大きいことが条件であり、屋根材よりも相対的に通称「卑な金属」と呼ばれるものであればその技術的効果が得られるものである。
【００２８】
このように本発明は従来にない事例に対処するものであり、その用途も実施例に示した一般住宅に限られず、銅板などを使用した日本の伝統的な文化財建築などにも広く使用できるものである。
また製造コストも安価なものでありその効果はきわめて大きいものである。
【図面の簡単な説明】
【図１】は本発明に係る実施例である瓦敷板を施工した時の斜視図、
【図２】は同上の瓦敷板の斜視図、
【図３】は同上の瓦敷板を施工したときの側面断面図、
【図４】は同上の瓦敷板を施工し、雨水が流れる時の要部の側面断面図。
Ａ・・・瓦
Ｂ・・・一文字葺屋根材
Ｃ・・・吊子
Ｄ・・・野地板
Ｅ・・・瓦敷板
Ｆ・・・釘
Ｇ・・・雨水
１・・・本体
１１・・上部立設片
１２・・折返し
１３・・上面板
１４・・垂設片
２・・・犠蝕部材
２１・・平坦部
２２・・上部立設片
２３・・折返し
【図１】
0003849106.tif 000002
【図２】
0003849106.tif 000003
【図３】
0003849106.tif 000004
【図４】
0003849106.tif 000005